(57)【要約】エレベータのボタンスイッチ装置において、基板に固定されたスイッチ部は、光透過性のある押しボタン部の変位により操作される。基板には、発光可能な発光部が設けられている。発光部からの光は、基板に対して固定された反射部により反射される。反射部からの反射光は、散光部により押しボタン部側へ散乱される。散光部は、反射部に対して固定されている。【特許請求の範囲】
【請求項１】
支持体、
上記支持体に対して変位可能で、光透過性のある押しボタン部、
上記支持体に設けられた発光部、
上記発光部に対して固定され、上記発光部からの光を反射する反射部、及び
上記反射部に対して固定され、上記反射部からの反射光を受けて上記反射光を散乱させ、散乱光を上記押しボタン部から透過させるための散光部
を備えていることを特徴とするエレベータのボタンスイッチ装置。
【請求項２】
上記支持部に設けられ、上記押しボタン部の変位により操作されるスイッチ部をさらに備え、
上記スイッチ部は、上記散光部が上記押しボタン部の変位方向へ投影されたとき、上記散光部の投影面の領域外となるように配置されていることを特徴とする請求項１に記載のエレベータのボタンスイッチ装置。
【請求項３】
支持体、
上記支持体に対して変位可能で、光透過性のある押しボタン部、
上記支持体に設けられ、上記押しボタン部の変位方向へ光を照射可能な発光部、
上記押しボタン部に対して固定され、上記発光部からの光を反射する反射部、及び
上記反射部に対して固定され、上記反射部からの反射光を受けて上記反射光を散乱させ、散乱光を上記押しボタン部から透過させるための散光部
を備えていることを特徴とするエレベータのボタンスイッチ装置。
【請求項４】
上記支持体に設けられ、上記押しボタン部の変位により操作されるスイッチ部をさらに備え、
上記スイッチ部は、上記散光部が上記押しボタン部の変位方向へ投影されたとき、上記散光部の投影面の領域内となるように配置されていることを特徴とする請求項３に記載のエレベータのボタンスイッチ装置。
【発明の詳細な説明】
【技術分野】
【０００１】  この発明は、例えばかご内あるいは乗場等に設けられたエレベータのボタンスイッチ装置に関するものである。
【背景技術】
【０００２】  従来、美的効果を確保するために発光する押しボタンスイッチがエレベータのかご内や乗場に設けられることがある。従来の押しボタンスイッチでは、操作者により操作可能な押しボタン部の背面に導光板が固定されている。導光板の裏面には、反射面が設けられており、発光部からの光が反射面に反射されるようになっている。押しボタンスイッチは、反射面での光の反射により発光される。発光部は、押しボタン部の変位方向に対して垂直方向へ光を照射するようになっている。従って、反射面は、発光部に対して押しボタン部が変位されても発光部からの光を反射できるように、押しボタン部の変位方向に対して傾斜されている（特許文献１参照）。【０００３】
【特許文献１】特開２００３−２５２５３８号公報
【発明の開示】
【発明が解決しようとする課題】
【０００４】  このような従来の押しボタンスイッチでは、押しボタン部の変位方向に対して反射面が傾斜されているので、導光板の厚さが厚くなってしまう。これにより、押しボタンスイッチの厚さが厚くなってしまい、押しボタンスイッチの小形化の妨げになる。【０００５】  この発明は、上記のような課題を解決するためになされたものであり、小形化を図ることができるエレベータのボタンスイッチ装置を得ることを目的とする。
【課題を解決するための手段】
【０００６】  この発明によるエレベータのボタンスイッチ装置は、支持体、支持体に対して光透過性のある押しボタン部、支持体に設けられた発光部、発光部に対して固定され、発光部からの光を反射する反射部、及び反射部に対して固定され、反射部からの反射光を受けて反射光を散乱させ、散乱光を押しボタン部から透過させるための散光部を備えている。
【図面の簡単な説明】
【０００７】［図１］この発明の実施の形態１によるエレベータのかご操作盤を示す正面図である。
［図２］図１の行き先階ボタン装置を示す拡大図である。
［図３］図２のＩＩＩ−ＩＩＩ線に沿った断面図である。
［図４］この発明の実施の形態２によるエレベータのボタンスイッチ装置を示す断面図である。
［図５］図４のスイッチ部が操作された状態を示す断面図である。
【発明を実施するための最良の形態】
【０００８】  以下、この発明の好適な実施の形態について図面を参照して説明する。
実施の形態１．
図１は、この発明の実施の形態１によるエレベータのかご操作盤を示す正面図である。図において、かごの内壁には、かご操作盤１が設けられている。かご操作盤１には、エレベータドア（図示せず）を開閉させるためのボタンスイッチ装置である開ボタン装置２及び閉ボタン装置３と、行き先階を指定するためのボタンスイッチ装置である複数の行き先階ボタン装置４と、かご内への表示のための表示装置５とが設けられている。【０００９】  図２は図１の行き先階ボタン装置４を示す拡大図、図３は図２のＩＩＩ−ＩＩＩ線に沿った断面図である。図において、かご操作盤１のフェイスプレート６には、複数の開口部７が設けられている。行き先階ボタン装置４は、各開口部７の位置にそれぞれ配置されている。また、行き先階ボタン装置４は、フェイスプレート６の背面に固定された支持体８と、支持体８に支持され、支持体８に対して変位可能な押しボタン部９と、支持体８に固定され、押しボタン部９の変位により操作されるスイッチ部（タクトスイッチ）１０と、支持体８に固定され、押しボタン部９を照らすための光照射体１１とを有している。【００１０】  支持体８は、押しボタン部９に対向する基板１２と、基板１２の周囲に固定され、フェイスプレート６の背面に取り付けられるランプハウス１３とを有している。ランプハウス１３の内側面には、押しボタン部９の一端部に当接して押しボタン部９を支持する段部１４が設けられている。押しボタン部９は、段部１４を支点として回動可能になっている。【００１１】  スイッチ部１０は、基板１２に固定されている。スイッチ部１０は、押しボタン部９と基板１２との間に配置されている。また、スイッチ部１０は、光照射体１１が押しボタン部９の変位（ストローク）方向（行き先階ボタン装置４の厚さ方向）へ投影されたとき、散光部１９の投影面の領域外になるように配置されている。さらに、スイッチ部１０は、かご操作盤内の操作盤制御部（図示せず）に電気的に接続されている。さらにまた、スイッチ部１０は、押しボタン部９の基板１２側への回動により押しボタン部９の他端部が当接され、操作（作動）されるようになっている。スイッチ部１０の操作により、行き先階の指定の有無の情報がスイッチ部１０から操作盤制御部へ伝送される。【００１２】  押しボタン部９は、透明材料により作製されており、光透過性を有している。また、押しボタン部９は、段部１４に回動可能に当接された一端部とスイッチ部１０に当接してスイッチ部１０を操作するための他端部とを含むボタンアクチュエータ１５と、ボタンアクチュエータ１５に設けられ、かご内に露出するように開口部７に配置されたボタントップカバー１６とを有している。押しボタン部９は、かご内から基板１２側への押圧により回動され、スイッチ部１０を操作するようになっている。なお、押しボタン部９は、スイッチ部１０への操作により縮められたスイッチ部１０内のばねの反力により、基板１２から離れる方向へ回動され、もとの位置に復元されるようになっている。【００１３】  光照射体１１は、基板１２に固定されている。また、光照射体１１は、押しボタン部９と基板１２との間に配置されている。さらに、光照射体１１は、発光可能な発光体である複��（この例では、４つ）のＬＥＤ１７と、各ＬＥＤ１７からの光を反射する反射部である反射板１８と、反射板１８に対して固定され、反射板１８からの反射光を受け、受けた反射光を押しボタン部９側へ散乱させる方形板状の散光部１９とを有している。【００１４】  各ＬＥＤ１７は、互いに間隔を置いて基板１２に固定されている。また、各ＬＥＤ１７は、行き先階ボタン装置４の厚さ方向に沿って見たときに、散光部１９の四隅に配置されている。さらに、各ＬＥＤ１７は、押しボタン部９側へ発光するようになっている。さらにまた、各ＬＥＤ１７は、操作盤制御部に電気的に接続されている。各ＬＥＤ１７の発光は、操作盤制御部により制御される。【００１５】  反射板１８は、反射部取付部材２０を介して基板１２に固定されている。即ち、反射板１８は、各ＬＥＤ１７に対して固定されている。また、反射板１８は、各ＬＥＤ１７と押しボタン部９との間に配置されている。さらに、反射板１８は、散光部１９の周囲に配置されている。各ＬＥＤ１７からの光は、散光部１９が配置された側へ反射板１８により反射される。【００１６】  散光部１９は、反射板１８で反射された反射光が透過する導光板２１と、導光板２１の基板１２側の面に設けられ、反射板１８からの反射光を散乱させる、即ち反射光を受けて面発光するための散光反射膜２２とを有している。導光板２１は、アクリル板やガラス等の透明材料により作製されている。また、散光反射膜２２は、導光板２１に塗られた塗膜である。さらに、散光反射膜２２は、行き先階ボタン４の厚さ方向に対して垂直になっている。なお、反射板１８の角度は、反射光の光路が散光反射膜２２に対して鋭角になるように調整されている。【００１７】  反射板１８からの反射光は、散光反射膜２２に向けて導光板２１を透過し、散光反射膜２２によって押しボタン部９側へ散乱される。これにより、散乱光は、押しボタン部９を透過してかご内へ至るようになっている。なお、開ボタン装置２及び閉ボタン装置３も、行き先階ボタン装置４と同様の構成となっている。【００１８】  次に、動作について説明する。例えばかご内の乗客により押しボタン部９が押されると、押しボタン部９が段部１４を支点として基板１２に近づく方向へ回動される。これにより、スイッチ部１０は、押しボタン部９の他端部により押され、作動される。この後、乗客による押圧がなくなると、押しボタン部９は、スイッチ部１０内のばねの反力によりもとの位置へ回動される。【００１９】  また、操作盤制御部からの発光指令が各ＬＥＤ１７に入力されると、各ＬＥＤ１７は発光する。ＬＥＤ１７からの光は、反射板１８で反射される。この後、反射光は、導光板２１を透過され、散光反射膜２２により散乱される。これにより、散光反射膜２２が面発光し、押しボタン部９が照らされる。【００２０】  さらに、操作盤制御部から各ＬＥＤ１７への発光指令の入力が停止されたときには、ＬＥＤ１７の発光が停止される。【００２１】  このような行き先階ボタン装置４では、ＬＥＤ１７からの光が反射板１８で反射された後に、散光部１９により散乱されるようになっており、反射板１８が各ＬＥＤ１７及び散光部１９に対して固定されているので、行き先階ボタン装置４の���さ方向に対して垂直に散光反射膜２２を配置することができ、散光部１９の厚さを薄くすることができる。これにより、行き先階ボタン装置４の厚さ方向の寸法を小さくすることができ、行き先階ボタン装置４の小形化を図ることができる。【００２２】  また、スイッチ部１０は、散光部１９が押しボタン部９の変位方向へ投影されたとき、散光部１９の投影面の領域外になるように配置されているので、行き先階ボタン装置４の厚さ方向に対して垂直方向にスイッチ部１０及び光照射体１１を互いに並べて配置することができ、行き先階ボタン装置４の厚さ方向の寸法をさらに小さくすることができる。【００２３】  実施の形態２．
図４は、この発明の実施の形態２によるエレベータのボタンスイッチ装置を示す断面図である。また、図５は、図４のスイッチ部１０が操作された状態を示す断面図である。図において、フェイスプレート６の背面には、支持体３１が固定されている。支持体３１は、基板１２と、基板１２の周囲に固定され、フェイスプレート６に取り付けられる環状のランプハウス３２とを有している。【００２４】  支持体３１には、基板１２に対して垂直方向（行き先階ボタン装置４の厚さ方向）へ往復変位可能な押しボタン部３３が支持されている。押しボタン部３３は、かご内に露出するように開口部７に配置された透明のボタントップカバー３４と、ボタントップカバー３４の周縁部に設けられ、開口部７からの押しボタン部３３の外れを防止するためのボタン枠３５とを有している。【００２５】  基板１２には、押しボタン部３３の変位により操作されるスイッチ部１０と、スイッチ部１０の操作により発光可能な発光部である複数（この例では、４つ）のＬＥＤ１７とが設けられている。各ＬＥＤ１７からの光は、押しボタン部３３の変位方向に沿って照射されるようになっている。【００２６】  押しボタン部３３の基板１２側の面には、各ＬＥＤ１７からの光を反射する実施の形態１と同様の反射部である反射板１８と、反射板１８に対して固定され、反射板１８からの反射光を受けて反射光を散乱させる実施の形態１と同様の散光部１９とが固定されている。即ち、押しボタン部３３、反射板１８及び散光部１９は、各ＬＥＤ１７及び基板１２に対して一体に変位可能になっている。散光部１９は、散光反射膜２２が行き先階ボタン装置４の厚さ方向に対して垂直になるように、押しボタン部３３に固定されている。【００２７】  反射板１８は、各ＬＥＤ１７とボタントップカバー３４との間に配置されている。また、反射板１８は、散光部１９の周囲に配置されている。各ＬＥＤ１７からの光は、散光部１９が配置された側へ反射板１８により反射される。散光部１９は、スイッチ部１０に当接されている。【００２８】  スイッチ部１０は、押しボタン部３３が基板１２に近づく方向へ変位されて散光部１９に押されることにより、操作されるようになっている。また、スイッチ部１０は、散光部１９が押しボタン部３３の変位方向へ投影されたとき、散光部１９の投影面の領域内になるように配置されている。即ち、スイッチ部１０は、基板１２と散光部１９との間に配置されている。なお、スイッチ部１０内には、押しボタン部３３の操作により縮められる弾性ばねが設けられている。押しボタン部３３は、かご内の乗客により基板１２側へ押圧されることにより、スイッチ部１０内の弾性ばねの付勢に逆らって基板１２に近づく方向へ変位され（図５）、押圧が解除されることにより、弾性ばねの付勢によりもとの位置へ変位される（図４）。【００２９】  なお、他の構成は実施の形態１と同様である。また、ボタンスイッチ装置である行き先階ボタン装置４は、支持体３１、押しボタン部３３、スイッチ部１０、ＬＥＤ１７、反射板１８及び散光部１９を有している。さらに、開ボタン装置２及び閉ボタン装置３の構成も、この実施の形態２の行き先階ボタン装置４と同様となっている。【００３０】  次に、���作について説明する。例えばかご内の乗客により押しボタン部３３が押されると、押しボタン部３３、反射板１８及び散光部１９が基板１２側へ行き先階ボタン装置４の厚さ方向に沿って変位される。これにより、スイッチ部１０に当接する散光部１９がスイッチ部１０側に押され、スイッチ部１０が作動される。この後、乗客による押圧がなくなると、押しボタン部３３、反射板１８及び散光部１９は、スイッチ部１０内の弾性ばねの反力によりもとの位置へ変位される。【００３１】  また、操作盤制御部からの発光指令が各ＬＥＤ１７に入力されると、各ＬＥＤ１７は発光する。各ＬＥＤ１７からの光は、反射板１８で反射される。この後、反射光は、導光板２１を透過され、散光反射膜２２により散乱される。これにより、散光反射膜２２が面発光し、押しボタン部３３が照らされる。【００３２】  操作盤制御部から各ＬＥＤ１７への発光指令の入力が停止されたときには、ＬＥＤ１７の発光が停止される。【００３３】  このような行き先階ボタン装置４では、反射板１８及び散光部１９が押しボタン部３３に固定され、各ＬＥＤ１７からの光が押しボタン部３３の変位方向に沿って照射されるようになっているので、反射板１８が押しボタン部３３とともに変位されても、反射板１８における各ＬＥＤ１７からの光の照射位置は変化しない。このことから、反射板１８の大きさを小さくすることができる。しかも、散光部１９の散光反射膜２２を行き先階ボタン装置４の厚さ方向に対して垂直に配置することができるので、散光部１９の厚さも薄くすることができる。従って、行き先階ボタン装置４の厚さを薄くすることができ、行き先階ボタン装置４の小形化を図ることができる。【００３４】  また、スイッチ部１０は、散光部１９が押しボタン部３３の変位方向へ投影されたとき、散光部１９の投影面の領域内となるように配置されているので、行き先階ボタン装置４の厚さ方向への投影面積を小さくすることができ、行き先階ボタン装置４の小形化をさらに図ることができる。【００３５】  なお、各上記実施の形態では、散光部１９の形状が方形板状とされているが、散光部１９の形状を円形板等としてもよい。【００３６】  また、各上記実施の形態では、この発明がかご操作盤１に適用されているが、各階の乗場に設けられた乗場操作盤にこの発明を適用してもよい。【００３７】  また、各上記実施の形態では、ＬＥＤ１７の数が４つとされているが、ＬＥＤ１７の数を１〜３つあるいは５つ以上としてもよく、ボタン形状及びボタンサイズ等によりＬＥＤ１７の数を適宜調整してもよい。【００３８】  また、各上記実施の形態では、行き先階ボタン装置４の厚さ方向に沿って散光部１９を見たとき、各ＬＥＤ１７が散光部１９の四隅に配置されているが、各ＬＥＤ１７からの光が反射板１８により散光部１９へ反射されるようになっているのであれば、任意の箇所でよく、例えば散光部１９の各辺の中間部に各ＬＥＤ１７を配置してもよい。
【図１】
2006011226.tif 000002
【図２】
2006011226.tif 000003
【図３】
2006011226.tif 000004
【図４】
2006011226.tif 000005
【図５】
2006011226.tif 000006
【国際調査報告】
2006011226.tif 000007
2006011226.tif 000008
2006011226.tif 000009
2006011226.tif 000010